(57)【要約】【課題】原稿配置部を露出される位置、及び該原稿配置部を被う位置に移動可能に設けられた被い手段の位置に拘わらず、原稿を読取る原稿読み取り手段から出力された信号が正常であることを判定可能な画像読取装置、及び画像形成装置を提供する。【解決手段】調整用光電変換素子から出力された信号の大きさが予め定められた大きさになるように、測光用光電変換素子及び調整用光電変換素子から出力された信号の大きさを調整する調整手段と、調整手段による調整後に原稿読み取り手段によって出力された信号の大きさが予め定められた大きさの場合に、被い手段の位置に拘わらず、原稿読み取り手段から出力された信号が正常であると判定する。【選択図】図６
2010166521.tif 000002
【特許請求の範囲】
【請求項１】
光を受光する受光部を備えた測光用光電変換素子、及び該受光部が遮光された調整用光電変換素子を含み、受光量に応じた信号を出力すると共に、原稿を読みとる場合に原稿配置部に配置された原稿を読取可能な位置に移動され、原稿を読み取らない場合に待機位置に待機される原稿読み取り手段と、
前記原稿配置部を露出される位置、及び該原稿配置部を被う位置に移動可能に設けられた被い手段と、
前記調整用光電変換素子から出力された信号の大きさが予め定められた大きさになるように、前記測光用光電変換素子及び前記調整用光電変換素子から出力された信号の大きさを調整する調整手段と、
前記調整手段による調整後に前記原稿読み取り手段によって出力された信号の大きさが前記予め定められた大きさの場合に、前記被い手段の位置に拘わらず、前記原稿読み取り手段から出力された信号が正常であると判定する判定手段と、
を有する画像読取装置。
【請求項２】
前記被い手段が前記原稿配置部を被う位置に移動していない状態で、前記判定手段による判定結果が、前記信号が正常ではないことを示した場合は、前記判定手段は、前記被い手段が前記位置に移動した状態で、前記信号の大きさが前記予め定められた大きさか否かを再び判定する請求項１に記載の画像読取装置。
【請求項３】
原稿からの反射光を前記測光用光電変換素子により測光を開始する指示を入力するための入力手段を更に有し、
前記被い手段が前記原稿配置部を被う位置に移動していない状態で、前記判定手段による判定結果が、前記信号が正常ではないことを示した場合は、前記判定手段は、前記入力手段により、測光を開始する指示が入力された際に、前記信号の大きさが前記予め定められた大きさか否かを再び判定する請求項１又は請求項２に記載の画像読取装置。
【請求項４】
請求項１〜請求項３のいずれか１項に記載の画像読取装置と、
前記原稿読み取り手段により出力された信号に基づき、記録媒体に画像を形成する画像形成手段と、
を有する画像形成装置。
【発明の詳細な説明】
【技術分野】
【０００１】
本発明は、画像読取装置、及び画像形成装置に関する。
【背景技術】
【０００２】
特許文献１には、基準部材を読みとった際の読みとり値に基づいて、原稿配置台への外光入射の有無を判断する画像読取装置が開示されている。
【先行技術文献】
【特許文献】
【０００３】
【特許文献１】特開２００６−３１１２１９号公報
【発明の概要】
【発明が解決しようとする課題】
【０００４】
原稿配置部を露出される位置、及び該原稿配置部を被う位置に移動可能に設けられた被い手段の位置に拘わらず、原稿を読取る原稿読み取り手段から出力された信号が正常であることを判定可能な画像読取装置、及び画像形成装置を提供することを目的とする。
【課題を解決するための手段】
【０００５】
上記目的を達成するために、請求項１の発明は、光を受光する受光部を備えた測光用光電変換素子、及び該受光部が遮光された調整用光電変換素子を含み、受光量に応じた信号を出力すると共に、原稿を読みとる場合に原稿配置部に配置された原稿を読取可能な位置に移動され、原稿を読み取らない場合に待機位置に待機される原稿読み取り手段と、前記原稿配置部を露出される位置、及び該原稿配置部を被う位置に移動可能に設けられた被い手段と、前記調整用光電変換素子から出力された信号の大きさが予め定められた大きさになるように、前記測光用光電変換素子及び前記調整用光電変換素子から出力された信号の大きさを調整する調整手段と、前記調整手段による調整後に前記原稿読み取り手段によって出力された信号の大きさが前記予め定められた大きさの場合に、前記被い手段の位置に拘わらず、前記原稿読み取り手段から出力された信号が正常であると判定する判定手段と、を有する。
【０００６】
また、請求項２の発明は、請求項１の発明において、前記被い手段が前記原稿配置部を被う位置に移動していない状態で、前記判定手段による判定結果が、前記信号が正常ではないことを示した場合は、前記判定手段は、前記被い手段が前記位置に移動した状態で、前記信号の大きさが前記予め定められた大きさか否かを再び判定するものである。
【０００７】
また、請求項３の発明は、請求項１又は請求項２の発明において原稿からの反射光を前記測光用光電変換素子により測光を開始する指示を入力するための入力手段を更に有し、前記被い手段が前記原稿配置部を被う位置に移動していない状態で、前記判定手段による判定結果が、前記信号が正常ではないことを示した場合は、前記判定手段は、前記入力手段により、測光を開始する指示が入力された際に、前記信号の大きさが前記予め定められた大きさか否かを再び判定するものである。
【０００８】
上記目的を達成するために、請求項４の発明は、請求項１〜請求項３のいずれか１項に記載の画像読取装置と、前記原稿読み取り手段により出力された信号に基づき、記録媒体に画像を形成する画像形成手段と、を有する画像形成装置である。
【発明の効果】
【０００９】
請求項１及び請求項４の発明によれば、本発明を適用しない場合に比較して、原稿配置部を露出される位置、及び該原稿配置部を被う位置に移動可能に設けられた被い手段の位置に拘わらず、原稿を読取る原稿読み取り手段から出力された信号が正常であることを判定可能となる。
【００１０】
請求項２の発明によれば、被い手段が原稿配置部を被う位置に移動すると、直ちに原稿を読取る原稿読み取り手段から出力された信号が正常であることを判定可能となる。
【００１１】
請求項３の発明によれば、測光を開始する指示が入力された際に原稿読み取り手段から出力された信号が正常であることを判定可能となる。
【図面の簡単な説明】
【００１２】
【図１】本実施の形態に係る画像形成装置の断面図である。
【図２】画像読取装置の斜視図である。
【図３】画像読取装置の構造を示す図である。
【図４】光電変換素子の詳細を示す図である。
【図５】画像読取装置の内部に設けられた機能構成を例示する図である。
【図６】画像読取装置の初期化処理例を示すフローチャートである。
【図７】黒レベル調整例を示すフローチャートである。
【図８】黒レベル検査例を示すフローチャートである。
【図９】プラテンカバーが閉じた場合の処理を示すフローチャートである。
【図１０】読取り指示が入力された場合の処理を示すフローチャートである。
【発明を実施するための形態】
【００１３】
以下、図面を参照して、本発明の実施の形態について詳細に説明する。
【００１４】
図１は、本実施の形態に係る画像形成装置の断面図である。図１に例示するように、画像形成装置１は、画像読取装置１０と、画像形成ユニット２００とを有する。
【００１５】
画像形成ユニット２００は、画像読取装置１０により出力された信号に基づき、記録媒体（以下、用紙と記す）に画像を形成する。そして、画像形成ユニット２００は、画像形成ユニット本体２０２を有し、画像形成ユニット本体２０２内に、感光体ドラム２０４と、感光体ドラム２０４を帯電する帯電装置２０６と、帯電装置２０６によって帯電された感光体ドラム２０４に光を照射して静電潜像を形成する潜像形成装置２０８と、潜像形成装置２０８によって感光体ドラム２０４の表面に形成された静電潜像を、トナーを用いて現像してトナー像を形成する現像装置２１０と、形成されたトナー像を用紙に転写する転写装置２１２と、感光体ドラム２０４の表面をクリーニングするクリーニング装置２１４とが装着されている。
【００１６】
また、画像形成ユニット本体２０２内には、用紙を収納する用紙収納部材２３２が装着され、用紙収納部材２３２から供給された用紙の搬送に用いられる搬送路２３０が形成されている。また、搬送路２３０に沿って、用紙の搬送方向上流側から順に、レジストロール２３４と、感光体ドラム２０４及び転写装置２１２と、定着装置２４０と、排出ロール２３６とが装着されている。
【００１７】
レジストロール２３４は、停止した状態から予め定められたタイミングで回転を開始し、感光体ドラム２０４にトナー像が形成されるタイミングと合致するように、感光体ドラム２０４と転写装置２１２との接触部に用紙を供給する。定着装置２４０は、転写装置２１２によって用紙に転写されたトナー像を用紙に定着する。排出ロール２３６は、トナー像が定着された用紙を排出部２３８に排出する。
【００１８】
図２は、画像読取装置１０の斜視図である。図２に例示するように、画像読取装置１０は、プラテンガラス１００と、プラテンカバー１０２と、開閉検知センサ１０４とを有する。
【００１９】
プラテンガラス１００の上面は、原稿が配置される原稿配置部である。プラテンカバー１０２は、被い手段の一例であり、原稿配置部を露出される位置、及び該原稿配置部を被う位置に移動可能に設けられている。以下の説明では、この「原稿配置部を露出される位置」にプラテンカバー１０２が移動した場合には、プラテンカバー１０２が開いていると表現し、「原稿配置部を被う位置」にプラテンカバー１０２が移動した場合には、プラテンカバー１０２が閉じていると表現することがある。
【００２０】
プラテンカバー１０２は、プラテンガラス１００の上面に覆い被さることにより、プラテンガラス１００及び原稿に照射される外光を遮断する。プラテンカバー１０２は、例えばヒンジなどにより画像読取装置１０に対して開閉自在に設置されている。
【００２１】
開閉検知センサ１０４は、プラテンカバー１０２の開閉状態を検知する。例えば、開閉検知センサ１０４は、プラテンカバー１０２に設置された磁石の磁力を検知することにより、プラテンカバー１０２の開閉状態を検知する。
【００２２】
画像読取装置１０の内部にはランプ(不図示)が設けられており、このランプの光は、プラテンガラス１００を透過して原稿に照射され、その反射光が、プラテンガラス１００を透過して、画像読取装置１０の内部に設けられた光電変換素子により測光される。
【００２３】
次に、画像読取装置１０の詳細について、図３を用いて説明する。同図に示すように、画像読取装置１０は、プラテンカバー１０２と画像読取部１４とを備えている。
【００２４】
プラテンカバー１０２は、画像が記録された原稿１８が置かれる原稿台２０を備えており、原稿台２０に置かれた原稿１８は、一枚ずつ取り出しロール２２で取り出され、原稿搬送路２４へ送られる。
【００２５】
原稿搬送路２４に送られた原稿１８は、搬送ロール対２６によって画像読取部１４による表面読取位置まで搬送され、表面を画像読取部１４で読み取られた後、排紙部３０に排紙される。
【００２６】
画像読取部１４は、上面に原稿１８を置くことが可能とされている透明なプラテンガラス１００を備えており、上記表面読取位置はプラテンガラス１００の上面に位置している。また、黒い基準板４６Ａ、及び白い基準板４６Ｂが備わっている。
【００２７】
表面読取位置におけるプラテンガラス１００の下側には、原稿１８及び基準板４６Ｂに対して照明光を照射するように予め定められた方向に沿って配列された複数の発光素子を備えた光源３４と、原稿１８の表面で反射した反射光を受ける第１反射ミラー３６、第１反射ミラー３６で受けた反射光の進行方向を９０°曲げるための第２反射ミラー３８、第２反射ミラー３８で受けた反射光の進行方向をさらに９０°曲げるための第３反射ミラー４０とが備えられている。
【００２８】
また、画像読取部１４は、レンズ４２と、光源３４により照明光が照射された原稿１８及び基準板４６Ａ、Ｂを複数の画素に分割して測光し、画素毎に測光した画素値に応じた画素値情報を出力する光検出部４４とを備えており、画像読取部１４は、第３反射ミラー４０で反射された反射光を、レンズ４２によって光検出部４４に結像させることで、原稿１８及び基準板４６Ａ、Ｂの表面を読み取る。
【００２９】
なお、本実施の形態に係る画像読取装置１０は、光源３４として蛍光ランプを適用するが、これに限らず、原稿１８の搬送方向と交差する方向に沿って配列された複数のＬＥＤ（Light Emitting Diode）等、他の光源を適用しても良い。
【００３０】
また、本実施の形態に係る画像読取装置１０では、光検出部４４として図４に示されるＣＣＤ（Charge Coupled Device）で構成されるＣＣＤラインセンサを適用している。このＣＣＤラインセンサは、同図に示されるように光を受光する受光部を備えた測光用光電変換素子、及び該受光部が遮光された調整用光電変換素子を含み、受光量に応じた信号を出力する。
【００３１】
この図４に例示されたＲ、Ｇ、Ｂそれぞれの光電変換素子は、主走査方向に配列された光電変換素子群と、フィルタとで構成されている。フィルタの一部は、黒色で遮蔽されており、この遮蔽された部分の調整用光電変換素子から出力された信号が示す画素は黒遮蔽画素となり、予め定められた色フィルタに相当する部分の測光用光電変換素子から出力された信号が示す画素は有効画素となる。有効画素とは、原稿からの反射光を受光できる画素であり、画像信号の生成に寄与する。また、黒遮蔽画素は、光源３４の点灯又は消灯に拘わらず、黒色に相当する光を受光する画素であり、黒レベル調整に用いられる。
【００３２】
なお、本実施の形態に係る画像読取装置１０は、光源３４、第１反射ミラー３６、第２反射ミラー３８、及び第３反射ミラー４０が図３の矢印Ｃ方向に移動可能とされている。すなわち、原稿を読みとる場合に原稿配置部に配置された原稿を読取可能な位置に移動され、原稿を読み取らない場合に待機位置に待機されるようになっている。
【００３３】
プラテンカバー１０２が画像読取部１４の上方へ開けられ、プラテンガラス１００の上面に原稿１８が置かれた場合に、光源３４から照明光を原稿１８に向けて照射しつつ、矢印Ｃ方向へ光源３４、第１反射ミラー３６、第２反射ミラー３８、及び第３反射ミラー４０を移動させることで、上記原稿１８に記録された画像を読み取ることが可能とされている。もちろん、基準板４６Ａ、Ｂ方向にも移動可能となっており、基準板４６Ａ、Ｂ上の複数の位置で信号を出力可能となっている。
【００３４】
図５は、画像読取装置１０の内部に設けられた機能構成を例示する図である。図５に例示するように、画像読取装置１０の内部には、光電変換素子１０６、サンプルホールド回路１０８、黒レベル調整回路、出力増幅回路１１２、ＡＤ変換回路１１４、シェーディング補正回路１１６、出力遅延回路１１８、画像処理回路１２０、素子駆動回路１２２、ＤＡ変換回路１２４、比較回路１２６、及びＣＰＵ１２８が設けられている。
【００３５】
光電変換素子１０６は、上述したＣＣＤ又はＣＭＯＳなどである。本実施の形態では、ＲＧＢ（Red Green Blue）の各色成分について、光電変換素子１０６が別個に設けられている形態を具体例として説明する。
【００３６】
サンプルホールド回路１０８は、光電変換素子１０６から入力されるアナログの画像信号Ｒ、Ｇ、Ｂをそれぞれサンプリングする。黒レベル調整回路１１０は、サンプルホールド回路１０８によりサンプリングされた画像信号Ｒ、Ｇ、Ｂに対して、黒画像データの出力レベルが最終的に予め定められた値（例えばＲ、Ｇ、Ｂともに１０)になるように補正処理(以下、黒レベル調整)を行う。
【００３７】
出力増幅回路１１２は、黒レベル調整回路１１０から入力された画像信号Ｒ、Ｇ、Ｂに対して、増幅処理を施す。ＡＤ変換回路１１４は、出力増幅回路１１２から入力されたアナログの画像信号Ｒ、Ｇ、Ｂを、デジタルの画像データＲ、Ｇ、Ｂに変換する。シェーディング補正回路１１６は、ＡＤ変換回路１１４から入力された画像データＲ、Ｇ、Ｂに対して、光電変換素子１０６の感度バラツキや光学系の光量分布特性に対応した補正(シェーディング補正)を施す。
【００３８】
出力遅延回路１１８は、シェーディング補正回路１１６から入力された画像データＧ、Ｂを、シェーディング補正回路１１６から入力される画像データＲと同相の画像データとなるように、それぞれ遅延させる。
【００３９】
画像処理回路１２０は、出力遅延回路１１８によって同相となった画像データＲ、Ｇ、Ｂに対して、拡大縮小処理、地肌除去処理又は二値化処理などの画像処理を施す。素子駆動回路１２２は、光電変換素子１０６に対して駆動信号を出力して、画像信号Ｒ、Ｇ、Ｂを光電変換紫子１０６に出力させる。
【００４０】
ＤＡ変換回路１２４は、比較回路１２６により算出されたデジタルの差分値r、g、bをアナログの差分値r、g、bに変換する。比較回路１２６は、ＡＤ変換回路１１４から出力される画像データＲ、Ｇ、Ｂと、目標値とを比較して、これらの差分値r、g、bを算出する。
【００４１】
ＣＰＵ１２８は、サンプルホールド回路１０８、黒レベル調整回路１１０、出力増幅回路１１２、シェーディング補正回路１１６、画像処理回路１２０、素子駆動回路１２２、及び比較回路１２６を制御する。
【００４２】
以上説明した構成で行なわれる処理を、フローチャートを用いて説明する。まず、図６を用いて、画像読取装置１０の電源投入時の初期化処理について説明する。電源が投入されると、画像読取装置１０は、各種ハードウェアの初期化等を行い、ステップ１０１で、白レベル調整を行なう。
【００４３】
具体的に、画像読取装置１０は、基準板４６Ｂを測光し、読取られた白基準データとそのときの画像信号（光量基準値）をシェーディング補正回路１１６に保持する。その後、原稿を測光する画像読取処理では、シェーディング補正回路１１６が、画像読取処理の直前に基準板４６Ｂを読取って採取した光量測定値と、初期化時に採取した光量基準値との比（光量変動比）を白基準データに積算して、白画像データの出力レベルが光源３４の光量変動等などの影響でばらつかないように適正な白レベルに合わせ込む。
【００４４】
次のステップ１０２で、画像読取装置１０は、調整用光電変換素子から出力された信号の大きさが予め定められた大きさになるように、測光用光電変換素子及び調整用光電変換素子から出力された信号の大きさを調整する（黒レベル調整）。
【００４５】
具体的に、画像読取装置１０は、光電変換素子１０６のうちの調整用光電変換素子から出力された信号から比較回路１２６が読取られた黒基準データと、黒レベルの目標値とを比較して、これらの差分値を算出し、黒レベル調整回路１１０が、算出された差分値に基づいて、調整用光電変換素子から出力された信号の大きさが予め定められた大きさになるように調整する。
【００４６】
次のステップ１０３で、画像読取装置１０は、調整後に測光用光電変換素子によって出力された信号の大きさが予め定められた大きさ否かを検査する黒レベル検査を行なう。なお、この黒レベル検査は、本実施の形態では基準板４６Ａを測光用光電変換素子が読取ることにより得られた信号を用いるものとしているが、基準板４６Ａに限らず、例えばプラテンカバー１０２が閉じられ、かつ光源３４が消灯している状態では、任意の位置で測光用光電変換素子が読取ることにより得られた信号を用いることも可能である。この黒レベル検査についての詳細は後述する。
【００４７】
次のステップ１０４で、検査結果が正常か否か判定し、正常であった場合には、ステップ１０５で、プラテンカバー１０２の位置に拘わらず、測光用光電変換素子から出力された信号が正常であると判定して処理を終了する。これは、図３に示されるように、基準板４６Ａの位置は西日等の強烈な外光以外の光が入りにくいこと、また、プラテンカバー１０２により外光が測光用光電変換素子で受光された場合に検査結果が正常となることは無いことから、プラテンカバー１０２が開いていたとしても外光の影響を受けていないと判定されるためである。
【００４８】
一方、ステップ１０４で否定判定をした場合には、画像読取装置１０は、ステップ１０６でプラテンカバー１０２が開いているか否か判定し、否定判定した場合には、ステップ１０７で測光用光電変換素子から出力された信号が異常と判定して処理を終了する。これは、プラテンカバー１０２が閉じている状態であることから、外光が入ってきていない状態で検査した結果であるためである。
【００４９】
一方、ステップ１０６で肯定判定した場合には、画像読取装置１０は、ステップ１０８で黒レベル検査未了として処理を終了する。これは、プラテンカバー１０２が開いている状態であることから、外光が入ってきた可能性のある状態で検査した結果であるためである。
【００５０】
次に、図７を用いて黒レベル調整の一例を説明する。黒レベル調整は、上述したように、調整用光電変換素子、比較回路１２６、黒レベル調整回路１１０により行なわれるものであるが、図７に示される黒レベル調整は、測光用光電変換素子を用いて行なわれる処理となっている。
【００５１】
ステップ２０１で、ＣＰＵ１２８は、黒レベル調整回路１１０に対して黒レベル調整値Ｘを設定する。この黒レベル調整値は、予め定められたデフォルトの値から始まり、後述するようにフィードバックによって順に更新されていく。
【００５２】
次のステップ２０２で、画像読取装置１０は、光源３４を消灯した状態で、光電変換素子１０６の測光用光電変換素子を用いて画像データを取得し、シェーディング補正回路１１６は、取得した画像データの平均画素値Ｙを算出する。
【００５３】
ステップ２０３で、ＣＰＵ１２８は、平均画素値Ｙが目標範囲内か否か判定する。この目標範囲、及び後述する目標範囲として、例えば画像データが０〜２５５を取り得る場合に、０〜１０までの範囲が挙げられる。また、目標範囲は予め定められた大きさを示す一つの値のみであっても良い。
【００５４】
ステップ２０３でＣＰＵ１２８が肯定判定した場合には、処理を終了し、否定判定した場合には、ステップ２０４で規定回数実施したか否か判定する。この規定回数とは、予め定められた回数であり、ステップ２０１で黒レベル調整Ｘが設定される回数の上限を示している。
【００５５】
ステップ２０４でＣＰＵ１２８が肯定判定した場合には、ステップ２０５で、黒レベル調整異常終了として処理を終了する。従って、上記規定回数は、ある程度設定しても範囲内にならない場合は異常終了とするためのものである。
【００５６】
一方、ステップ２０４で、ＣＰＵ１２８が否定判定した場合には、ステップ２０６で、目標との差分に基づき、黒レベル調整値Ｘを更新して、再びステップ２０１の処理に戻る。このように黒レベル調整は、測光用光電変換素子を用いて行なってもよい。
【００５７】
次に、黒レベル検査（図６：Ｓ１０３）の詳細を、図８を用いて説明する。まずステップ３０１で、シェーディング補正回路１１６光源３４を消灯して測光用光電変換素子から出力された信号をＡＤ変換して得られた画素値を取得し、ステップ３０２で平均画素値Ｙを算出する。
【００５８】
次のステップ３０３で、ＣＰＵ１２８は、平均画素値Ｙが上述した目標範囲内か否か判定し、肯定判定した場合には、ステップ３０４で黒レベル正常と判定し、否定判定した場合には、ステップ３０５で黒レベル異常と判定して、処理を終了する。
【００５９】
次に、プラテンカバー１０２が閉じていない状態で、判定結果が、信号が正常ではない（黒レベル異常である）ことを示した場合は、プラテンカバー１０２が閉じた状態で、信号の大きさが予め定められた大きさか否かを再び判定する処理について、図９を用いて説明する。
【００６０】
この処理は、図６に示される処理において、Ｓ１０８となった場合に実質的に適用される処理である。
【００６１】
まず、ステップ４０１で、ＣＰＵ１２８は、上述した開閉検知センサ１０４により、プラテンカバー１０２が閉じたことが通知されると、ステップ４０２で、黒レベル検査が未了か否か判定し、肯定判定した場合には、ステップ４０３で、再び黒レベル検査を行ない、否定判定した場合には、そのまま処理を終了する。なお、ＣＰＵ１２８は、ステップ４０３の黒レベル検査によっても、図８の処理に示されるように、その判定結果を得ることができる。
【００６２】
次に、プラテンカバー１０２が閉じていない状態で、判定結果が、信号が正常ではない（黒レベル異常である）ことを示した場合は、測光を開始する指示が入力された際に、信号の大きさが予め定められた大きさか否かを再び判定する処理について、図１０を用いて説明する。なお、測光を開始することは、原稿の読取りを開始することであるので、同図のフローチャートでは、測光を開始する指示を、読取り指示と表現している。
【００６３】
まず、ステップ５０１で、ＣＰＵ１２８は、上述した図示しないユーザインタフェースにより、読取り指示が入力されたことが通知されると、ステップ５０２で、黒レベル検査が未了か否か判定し、肯定判定した場合には、ステップ５０３で、再び黒レベル検査を行ない、ステップ５０４で読取りを実施して処理を終了する。一方、否定判定した場合には、ステップ５０４で読取りを実施して処理を終了する。なお、ＣＰＵ１２８は、ステップ４０３の黒レベル検査によっても、図８の処理に示されるように、その判定結果を得ることができる。
【００６４】
上述した図９、図１０の処理において、黒レベル検査が行なわれた場合は、黒レベル検査未了に代えて黒レベル検査が実施されたこととする。
【００６５】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【符号の説明】
【００６６】
１  画像形成装置
１０  画像読取装置
１４  画像読取部
１８  原稿
２０  原稿台
３４  光源
４２  レンズ
４４  光検出部
４６Ａ、４６Ｂ  基準板
１００  プラテンガラス
１０２  プラテンカバー
１０４  開閉検知センサ
１０６  光電変換素子
１１０  黒レベル調整回路
１１６  シェーディング補正回路
１２２  素子駆動回路
１２６  比較回路
２００  画像形成ユニット
２０２  画像形成ユニット本体
【図１】
2010166521.tif 000003
【図２】
2010166521.tif 000004
【図３】
2010166521.tif 000005
【図４】
2010166521.tif 000006
【図５】
2010166521.tif 000007
【図６】
2010166521.tif 000008
【図７】
2010166521.tif 000009
【図８】
2010166521.tif 000010
【図９】
2010166521.tif 000011
【図１０】
2010166521.tif 000012